(57)【要約】【課題】ユーザが好む所望の動画または静止画を生成して提供する。【解決手段】画像提供システム１０は動画データを表示するモニタ１２と、ユーザＰからの入力情報が入力される入力部１７と、制御部２０とを備えている。制御部２０は送受信部２１と、画像データを記憶する記憶部２２と、記憶部２２内の動画データから入力部１７からの入力情報に基づいて、モニタ１２を観たユーザの好みの動画及び／または静止画の生成画像を作製する画像生成部２４とを備える。【選択図】図３
2020038404.tif 000002
【特許請求の範囲】
【請求項１】
ユーザに対して所望の動画及び／または静止画を提供する画像提供システムにおいて、
画像を表示するモニタと、
前記ユーザによる入力情報を入力する入力部と、
前記モニタと前記入力部に接続された制御部とを備え、
前記制御部は外部との送受信を行う送受信部と、
画像データを記憶する記憶部と、
前記記憶部内の画像データのうち動画から前記入力部から入力される入力情報に基づいて、ユーザの好みの動画及び／または静止画の生成画像を作製する画像生成部と、
を備えた画像提供システム。
【請求項２】
前記制御部は前記画像生成部で作製された動画及び／または静止画の生成画像、または動画及び／または静止画の生成画像のＩＤコードを提供する画像提供部を更に備え、
前記画像提供部から提供される静止画の生成画像、または動画及び／または静止画の生成画像のＩＤコードをプリントするプリンタが前記制御部に接続されている、請求項１記載の画像提供システム。
【請求項３】
前記入力部は前記モニタに設けられている、請求項１または２記載の画像提供システム。
【請求項４】
前記入力部は前記モニタと別個独立して設けられている、請求項１または２記載の画像提供システム。
【請求項５】
前記入力部は音声を入力する音声入力部を有する、請求項１または２記載の画像提供システム。
【請求項６】
前記制御部にサーバが接続され、前記サーバから前記制御部へ画像データを送信し、前記制御部から前記サーバへ前記画像生成部で生成された生成画像を送る、請求項１乃至４のいずれか記載の画像提供システム。
【請求項７】
前記サーバは前記生成画像を記憶するサーバ記憶部と、前記生成画像を提供するサーバ画像提供部とを有する、請求項６記載の画像提供システム。
【発明の詳細な説明】
【技術分野】
【０００１】
本開示の実施の形態は、ユーザが好む所望の動画及び／または静止画を提供する画像提供システムに関す。
【背景技術】
【０００２】
従来より販売者側が事前に作製した動画または静止画がユーザに提供している。これに対して、ユーザは提供される動画または静止画の中から好きな動画または静止画を選択し購入している。
【０００３】
このような場合、販売側が作製する動画または静止画が必ずしもユーザの要求に合ったものでないことがある。
【先行技術文献】
【特許文献】
【０００４】
【特許文献１】特開２０１０−６１５８９号公報
【発明の概要】
【発明が解決しようとする課題】
【０００５】
本開示の実施の形態はこのような点を考慮してなされたものであり、ユーザが好む所望の動画及び／または静止画を提供することができる画像提供システムを提供することを目的とする。
【課題を解決するための手段】
【０００６】
本開示の実施の形態は、ユーザに対して所望の動画及び／または静止画を提供する画像提供システムにおいて、画像を表示するモニタと、前記ユーザによる入力情報を入力する入力部と、前記モニタと前記入力部に接続された制御部とを備え、前記制御部は外部との送受信を行う送受信部と、画像データを記憶する記憶部と、前記記憶部内の画像データのうち動画から前記入力部から入力される入力情報に基づいて、ユーザの好みの動画及び／または静止画の生成画像を作製する画像生成部と、を備えた画像提供システムである。
【０００７】
本開示の実施の形態は、前記制御部は前記画像生成部で作製された動画及び／または静止画の生成画像、または動画及び／または静止画のＩＤコードを提供する画像提供部を更に有し、前記画像生成部で作製された静止画の生成画像、または動画及び／または静止画の生成画像のＩＤコードをプリントするプリンタが前記制御部に接続されている、画像提供システムである。
【０００８】
本開示の実施の形態は、前記入力部は前記モニタに設けられている、画像提供システムである。
【０００９】
本開示の実施の形態は、前記入力部は前記モニタと別個独立して設けられている、画像提供システムである。
【００１０】
本開示の実施の形態は、前記入力部は音声を入力する音声入力部を有する、画像提供システムである。
【００１１】
本開示の実施の形態は、前記制御部にサーバが接続され、前記サーバから前記制御部へ画像データを送信し、前記制御部から前記サーバへ前記画像生成部で生成された生成画像を送る、画像提供システムである。
【００１２】
本開示の実施の形態は、前記サーバは前記生成画像を記憶するサーバ記憶部と、前記生成画像を提供するサーバ画像提供部とを有する、画像提供システムである。
【発明の効果】
【００１３】
本開示の実施の形態によれば、ユーザが好む所望の動画及び／または静止画を確実に提供することができる。
【図面の簡単な説明】
【００１４】
【図１】図１は本実施の形態に係る画像提供システムの設置例を示す図である。
【図２】図２は本実施の形態に係る画像提供システムのモニタを示す図である。
【図３】図３は本実施の形態に係る撮影システムのブロック構成図である。
【図４】図４は本実施の形態に係る画像提供システムの作用を説明するフローチャートである。
【図５】図５はモニタで表示すべき動画コンテンツを選択する状態を示す図である。
【発明を実施するための形態】
【００１５】
以下、本実施の形態による画像提供システムを図面に基づいて説明する。
【００１６】
本実施の形態による画像提供システムは、ユーザＰに対し、ユーザＰの好みに応じて所望の動画及び／または静止画を提供するものである。
【００１７】
このような画像提供システム１０は、図１乃至図５に示すように筐体１１と、筐体１１に設けられ、画像を表示するモニタ１２と、筐体１１に設けられ、ユーザＰによる入力情報を入力する入力部１７と、筐体１１内に内蔵され、モニタ１２と入力部１７とに接続された制御部２０とを備えている。
【００１８】
このうちモニタ１２は筐体１１のうち、ユーザＰ側の外部に取り付けられ、ユーザＰは椅子Ｃに座りながらモニタ１２上の入力部１７を操作することができる。この場合、モニタ１２は全体としてタッチパネルからなり、モニタ１２は上方に設置された第１表示部１２ａと、下方に設置された第２表示部１２ｂとを有する。
【００１９】
モニタ１２の第１表示部１２ａは、ユーザＰが選択した動画コンテンツ１を表示するものであり、例えば「Ａさんの撮影会の動画」が表示される。また、ユーザＰがキャプチャ（特定ともいう）すべき複数の動画コンテンツ候補２を第１表示部１２ａに表示させて、複数の動画コンテンツ候補をユーザＰが選択することもできる。
【００２０】
またモニタ１２の第２表示部１２ｂは、ユーザＰがキャプチャした所望の動画または静止画を表示するものであり、ユーザＰは第２表示部１２ｂに表示された動画または静止画を確認して、次のステップへ進むことができる。
【００２１】
さらにモニタ１２の第１表示部１２ａと第２表示部１２ｂとの間にユーザＰにより入力情報が入力される入力部１７が設けられている。
【００２２】
入力部１７はタッチパネルからなるモニタ１２上に組み込まれ、例えば所望の静止画を特定する静止画特定ボタン１７ａと、所望の動画を特定する動画特定ボタン１７ｂとを有する。また静止画特定ボタン１７ａと動画特定ボタン１７ｂとの間に各種の入力を行う入力領域１７ｃが設けられている。
【００２３】
また制御部２０にはプリンタ１３と、音声入力部１５が接続されている。このような制御部２０は、図３に示すように、外部との送受信を行う送受信部２１と、静止画および動画を含む画像データを記憶する記憶部２２と、記憶部２２に記憶された複数の動画コンテンツ候補２をモニタ１２に表示する動画コンテンツ表示部２３ａと、ユーザＰにより入力部１７に入力された入力情報に基づいて、記憶部２２に記憶された複数の動画コンテンツ候補の中からモニタ１２に表示すべき動画コンテンツ１を選択する動画選択部２３ｂとを有する。また制御部２０は記憶部２２内の画像データの動画から、入力部１７から入力される入力情報に基づいてユーザＰの好みの動画または静止画の生成画像を作製する画像生成部２４を有する。さらに、画像生成部２４には、画像生成部２４で作製された生成画像のＩＤコードを作製するとともに、この生成画像あるいはＩＤコードをプリンタ１３に出力する画像提供部２５が接続されている。
【００２４】
図３に示す制御部２０のうち、記憶部２２は制御部２０が各種の処理を実行するために必要なプログラムやデータ等を記憶する機能をもち、例えば上述のように、モニタ１２の第１表示部１２ａに表示すべき複数の動画コンテンツ候補２が格納されている。また記憶部２２には画像生成部２４において作製されたユーザＰの好みの動画または静止画の生成画像が格納されている。
【００２５】
さらに画像生成部２４は、上述のように記憶部２２に格納された動画を用いて、入力部１７から入力される入力情報に基づいてユーザＰの好みの動画または静止画の生成画像を作製するものであり、画像生成部２４で作製された生成画像は記憶部２２へ送られて格納される。また制御部２０には、ＷｉＦｉルーター１４を介してサーバ３０が接続されている。このサーバ３０はサーバ記憶部３１と、サーバ画像提供部３２とを有する。
【００２６】
サーバ記憶部３１には、モニタ１２の第１表示部１２ａで表示すべき多数の動画コンテンツ候補２が格納され、サーバ記憶部３１に格納された動画コンテンツ候補２は定期的に制御部２０の記憶部２２へ送られ、制御部２０の記憶部２２内の動画コンテンツ候補２は適宜入れ替えられ、あるいは補充される。
【００２７】
またサーバ画像提供部３２には、制御部２０の画像生成部２４で作製された生成画像が送られてくる。サーバ画像提供部３２は適宜ユーザＰに対して生成画像の動画データあるいは静止画像データを提供する。
【００２８】
図３において、ユーザＰはモニタ１２上に設けられた静止画特定ボタン１７ａと、動画特定ボタン１７ｂとを操作して第１表示部１２ａに表示された動画コンテンツ１から好みの静止画または動画の生成画像を作製する。またユーザＰは必要に応じて入力領域１７ｃを操作して各種の入力を行う。
【００２９】
なお、ユーザＰは静止画特定ボタン１７ａあるいは動画特定ボタン１７ｂを用いることなく、音声入力部１５に向かって声を発して入力指示を行い、第１表示部１２ａに表示された動画から好みの静止画または動画の生成画像を作製してもよい。この場合、音声入力部１５はユーザＰが入力情報を入力する入力部として機能する。
【００３０】
次にこのような構成からなる本実施の形態の作用について説明する。
【００３１】
まず上記構成の画像提供システム１０は画像販売店内に設置され、ユーザＰは画像提供システム１０のモニタ１２の前方に設置された椅子Ｃに座る。
【００３２】
次に図４に示すように、ユーザＰは画像提供システム１０に対して動画コンテンツを選択する。この場合、制御部２０の動画コンテンツ表示部２３ａは記憶部２２内に格納された複数の動画コンテンツ候補２，２，２をモニタ１２の第１表示部１２ａに予め表示する（図５参照）。ユーザＰは第１表示部１２ａに表示された複数の動画コンテンツ候補２，２，２の中から、生成画像を作製する基となる動画コンテンツ１を選択する。この際ユーザＰは第１表示部１２ａ上の選択すべき動画コンテンツ候補２，２，２上にタッチして動画コンテンツ１を選択するか、あるいは入力部１７の入力領域１７ｃをタッチして生成画像を作製する基となる動画コンテンツ１を選択する。
【００３３】
複数の動画コンテンツ候補２，２，２の中から生成画像を作製すべき動画コンテンツが選択された場合、この選択情報は制御部２０の動画選択部２３ｂに送られる。次に動画選択部２３ｂは、複数の動画コンテンツ候補２，２，２の中から選択された動画コンテンツ１をモニタ１２の第１表示部１２ａに表示させる。
【００３４】
なお、動画コンテンツ候補２，２，２としては「Ａさんの撮影会の動画」、「Ｂさんの撮影会の動画」、あるいは「Ｃさんの撮影会の動画」が挙げられる。また、選択された動画コンテンツ１としては「Ａさんの撮影会の動画」が挙げられる。
【００３５】
次にユーザＰはモニタ１２の第１表示部１２ａに表示された動画コンテンツ「Ａさんの撮影会の動画」を観ながら、自分の好みの場面が表示された際、その場面を特定する。
【００３６】
この場合、静止画の生成画像を入手したいときは、静止画特定ボタン１７ａを押す。他方、動画の生成画像を入手したい場合は、動画特定ボタン１７ｂを押す。静止画の生成画像を入手したい場合は静止画特定ボタン１７ａを一回押すことで、好みの場面を生成画像として入手することができ、他方、動画の生成画像を入手したい場合は、動画特定ボタン１７ｂを好みの場合が続く限り押し続ける。
【００３７】
あるいは静止画特定ボタン１７ａあるいは動画特定ボタン１７ｂを用いることなく、モニタ１２の第１表示部１２ａに表示された動画コンテンツ１の中から自分の好みの場面が表示された際、声を発し、この時の声を音声入力部１５で入力してユーザＰの入力情報としてもよい。
【００３８】
次にユーザＰから静止画特定ボタン１７ａ、動画特定ボタン１７ｂあるいは音声入力部１５を介して送られる入力情報が制御部２０に送られる。制御部２０の画像生成部２４は、記憶部２２に記憶された画像データのうち動画データを切り取って、静止画特定ボタン１７ａ、動画特定ボタン１７ｂあるいは音声入力部１５から送られる入力情報に基づいてユーザＰの好みの場面を特定（キャプチャ）し、動画または静止画の生成画像を作製する。
【００３９】
このようにして画像生成部２４により動画または静止画の生成画像が作成された後、モニタ１２の第１表示部１２ａによる動画コンテンツの表示が終了する。
【００４０】
画像生成部２４において作製された動画または静止画を含む生成画像は記憶部２２内に格納される。次に記憶部２２内に格納された生成画像はモニタ１２の第２表示部１２ｂに表示され、ユーザＰは第２表示部１２ｂに表示された生成画像を確認することができる。ユーザＰは希望の生成画像が得られた場合、次のステップに移行し、希望の生成画像が得られなかった場合は、モニタ１２により動画コンテンツ１が再度表示され、上述したステップが繰り返される。
【００４１】
次に希望の生成画像が静止画の場合、ユーザＰは入力部１７の入力領域１７ｃを操作して、プリンタ１３を作動させる。このとき、制御部２０の記憶部２２に記憶された生成画像のデータが、画像提供部２５から送受信部２１を介してプリンタ１３へ送られ、プリンタ１３は画像提供部２５から提供された画像データを使って、プリント物を作製する。
【００４２】
あるいは生成画像が静止画像あるいは動画画像のいずれであっても、制御部２０は画像のＩＤコード、例えばＱＲコードを生成してもよい。
【００４３】
この場合、ＱＲコードは制御部２０の画像生成部２４において作製され、作製されたＱＲコードはプリンタ１３によりプリントされるか、またはモニタ１２に表示される。ユーザはプリントされたＱＲコードまたはモニタ１２に表示されたＱＲコードを携帯端末で読み取り、動画または静止画の生成画像を制御部２０の画像提供部２５からダウンロードすることができる。
【００４４】
この間、制御部２０は送受信部２１を介して、記憶部２２に記憶された動画または静止画の合成画像をサーバ３０へ送ることができる。サーバ３０は制御部２０から送られた合成画像をサーバ記憶部３１に格納する。またサーバ３０は合成画像をサーバ画像提供部３２からユーザＰあてに提供してもよい。
【００４５】
この場合、ユーザＰはプリンタ１３で作製されたＱＲコードを携帯端末で読み取り、動画または静止画の生成画像をサーバ３０のサーバ画像提供部３２からダウンロードすることもできる。
【００４６】
以上のように本実施の形態によれば、ユーザＰが好む所望の動画または静止画を確実に生成することができ、この生成画像をユーザＰに適宜提供することができる。
【００４７】
なお、上記実施の形態において、タッチパネルからなるモニタ１２上に静止画特定ボタン１７ａと、動画特定ボタン１７ｂと、入力領域１７ｃとからなる入力部１７を組み込んだ例を示したが、静止画特定ボタン１７ａと動画特定ボタン１７ｂと入力領域１７ｃとをモニタ１２に組み込むことなく、モニタ１２に対して別個独立して設けてもよい。また、上記実施の形態において、画像生成部２４が動画データを切り取って動画または静止画のいずれかの生成画像を作製した例を示したが、これに限らず、画像生成部２４は動画及び静止画の生成画像を同時に作製することもできる。
【符号の説明】
【００４８】
１  動画コンテンツ
２  動画コンテンツ候補
１０  画像提供システム
１１  筐体
１２  モニタ
１２ａ  第１表示部
１２ｂ  第２表示部
１３  プリンタ
１４  ＷｉＦｉルーター
１５  音声入力部
１７  入力部
１７ａ  静止画特定ボタン
１７ｂ  動画特定ボタン
１７ｃ  入力領域
２０  制御部
２１  送受信部
２２  記憶部
２３ａ  動画コンテンツ表示部
２３ｂ  動画選択部
２４  画像生成部
２５  画像提供部
３０  サーバ
３１  サーバ記憶部
３２  サーバ画像提供部
【図１】
2020038404.tif 000003
【図２】
2020038404.tif 000004
【図３】
2020038404.tif 000005
【図４】
2020038404.tif 000006
【図５】
2020038404.tif 000007